(57)【特許請求の範囲】
【請求項１】
開閉器本体から水平方向側に延びる複数の端子部を有する開閉器に設置される営巣事故防止具であって、
前記複数の端子部の上方に所定の間隔を空けて配置され、前記複数の端子部を覆う絶縁シートと、
前記開閉器本体における前記複数の端子部の上方に固定され、前記絶縁シートの両端部を支持する一対の支柱部と、を有し、
前記支柱部は、前記開閉器本体に固定される固定部と、当該固定部から延びる長尺の支持部と、を備え、
前記固定部は、一端部が前記開閉器本体に固定され、他端部が前記複数の端子部側に延びる帯状部材と、当該帯状部材の一端部に設けられたマグネット部材と、前記帯状部材における前記開閉器本体に設けられた取っ手に対向する部位に設けられ、前記取っ手に係合する係合部と、を有することを特徴とする営巣事故防止具。
【請求項２】
前記絶縁シートの一端部が固定されかつ前記絶縁シートが巻き付けられる軸体を更に有し、
一対の支柱部における一方の支柱部は、前記軸体を回転自在に支持する軸受部を有し、
他方の支柱部は、前記一方の支柱部側から引き出された前記絶縁シートの他端部を保持する保持部を有することを特徴とする請求項１記載の営巣事故防止具。
【請求項３】
前記一対の支柱部は、間接活線工具によって把持される把持部を有することを特徴とする請求項１又は２記載の営巣事故防止具。
【請求項４】
前記一対の支柱部の先端部と、前記開閉器における前記一対の支柱部の先端部よりも高い所定部位とを繋ぐ伸縮可能なロープ部材を更に備えたことを特徴とする請求項１乃至３のいずれか１記載の営巣事故防止具。
【発明の詳細な説明】
【技術分野】
【０００１】
本発明は、高圧開閉器に設置される営巣事故防止具に関する。
【背景技術】
【０００２】
一般に、電柱は、角柱状の腕金を水平方向に配置している。そして、この腕金に電線及びケーブルが支持されことにより、電線及びケーブルが地上に架設される。又、この腕金に開閉器や変圧器などの柱上機器が固定されることにより、柱上機器が電柱に支持される。
【０００３】
ところで、腕金や柱上機器にカラスのような鳥類が営巣すると、この営巣材が原因となって停電が発生する危険性がある。例えば、電柱の上に、鳥類が巣作りのために針金類を運んできた場合には、この針金が電線に接触して配電線事故を引き起こすおそれがある。
【０００４】
また、鳥類は、柱上において比較的平坦な部分に営巣することが多い。平坦な部分としては、例えば、開閉器の端子部が上げられる。開閉器は複数の端子部を備えており、この端子部は開閉器本体から略水平方向に延びていることから比較的平坦であるため、この端子部付近に営巣されることが多い。
【０００５】
そこで、従来、柱上機器の上方に、鳥類を忌避させる忌避装置を設けることや、針状部材を備えた営巣防止装置を設置して営巣できないようにすることが提案されている。例えば、特許文献１によれば、両面が鏡面で形成された樋状の湾曲部材を柱上機器の上方に配置することにより、湾曲部材の凹面が光を反射して鳥類を忌避させ、柱上機器に鳥類が接近することを抑制する、という技術が提案されている。
【先行技術文献】
【特許文献】
【０００６】
【特許文献１】特開２０１３−１６５６０６号公報
【発明の概要】
【発明が解決しようとする課題】
【０００７】
しかしながら、電柱から営巣材を撤去して、上述したような営巣防止対策を施しても、鳥類は、同一の電柱に再営巣したり隣接する電柱に営巣をしたりするなど、近いエリアの電柱に営巣を繰り返す傾向にある。停電事故を防止するためには営巣材を早急に撤去することが望ましいが、その一方で、営巣される度に営巣材を撤去することは作業員にとって作業負担が大きく、限界がある。
【０００８】
しかも、電柱に営巣された後に、その巣において鳥類が産卵し、更に卵が孵化した場合には、たとえ害鳥であるとしても営巣材を撤去する場合には所定機関の許可が必要となる。このため、撤去が難しくなる。
【０００９】
本発明は、このような問題点に対して鑑みなされたものであり、開閉器の端子部付近に営巣されても、その営巣材が原因となって停電が発生することを防止する営巣事故防止具を提供することを目的とする。
【課題を解決するための手段】
【００１０】
前記目的を達成するため、本発明は、次に記載する構成を備えている。
【００１１】
（１）  開閉器本体から水平方向側に延びる複数の端子部を有する開閉器に設置される営巣事故防止具であって、前記複数の端子部の上方に所定の間隔を空けて配置され、前記複数の端子部を覆う絶縁シートと、前記開閉器本体における前記複数の端子部の上方に固定され、前記絶縁シートの両端部を支持する一対の支柱部と、を有することを特徴とする営巣事故防止具
【００１２】
（１）によれば、絶縁シート上に営巣された場合に、複数の端子部と営巣材との間に絶縁シートが介在しかつ両者が互いに離間した状態で保たれる。このため、開閉器の端子部付近に営巣されても、その営巣材が原因となって停電が発生することを防止することが可能になり、例えば、巣において鳥類が産卵した場合に、その卵が孵化し、雛が成長して巣が空になるまで、巣の撤去を待つことが可能になる。
【００１３】
（２）  （１）において、前記支柱部は、前記開閉器本体に固定される固定部と、当該固定部から延びる長尺の支持部と、を備え、前記固定部は、一端部が前記開閉器本体に固定され、他端部が前記複数の端子部側に延びる帯状部材と、当該帯状部材の一端部に設けられたマグネット部材と、前記帯状部材における前記開閉器本体に設けられた取っ手に対向する部位に設けられ、前記取っ手に係合する係合部と、を有することを特徴とする営巣事故防止具。
【００１４】
（３）  （１）、（２）において、前記絶縁シートの一端部が固定されかつ前記絶縁シートが巻き付けられる軸体を更に有し、一対の支柱部における一方の支柱部は、前記軸体を回転自在に支持する軸受部を有し、他方の支柱部は、前記一方の支柱部側から引き出された前記絶縁シートの他端部を保持する保持部を有することを特徴とする営巣事故防止具。
【００１５】
（４）  （１）〜（３）において、前記一対の支柱部は、間接活線工具によって把持される把持部を有することを特徴とする営巣事故防止具。
【００１６】
（５）  （１）〜（４）において、前記一対の支柱部の先端部と、前記開閉器本体の所定部位とを繋ぐ伸縮用ゴムロープを更に備えたことを特徴とする営巣事故防止具。
【発明の効果】
【００１７】
本発明によれば、絶縁シート上に営巣された場合に、複数の端子部と営巣材との間に絶縁シートが介在しかつ互いに離間した状態で保たれる。このため、開閉器の端子部付近に営巣されても、その営巣材が原因となって停電が発生することを防止する営巣事故防止具を提供することが可能になる。
【図面の簡単な説明】
【００１８】
【図１】本発明の一実施形態における営巣事故防止具１を設置した開閉器１００の外観を示す斜視図である。
【図２】図１の営巣事故防止具１を示す側面図である。
【図３】図１の営巣事故防止具１を示す正面図である。
【図４】図１の営巣事故防止具１を示す正面図である。
【図５】絶縁シート１０を軸体１２に巻き付けた状態を示す図である。
【発明を実施するための形態】
【００１９】
以下、本発明の一実施形態について、図面を参照しながら詳細に説明する。
図１は、本発明の一実施形態における営巣事故防止具１を設置した開閉器１００の外観を示す斜視図である。図２は、図１の営巣事故防止具１を示す側面図、図３は、図１の営巣事故防止具１を示す正面図である。
【００２０】
［開閉器１００の構成］
本実施形態の営巣事故防止具１の説明に先立ち、開閉器１００について説明する。
開閉器１００は、本体１１０と、端子部１２０と、操作ハンドル１３０と、表示矢１４０と、吊り金具１５０と、取っ手１６０と、を備えている。
【００２１】
本体１１０は、容器形に形成された筐体１１１と、筐体１１１の開口を塞ぐ蓋１１２と、を備えており、本体１１０の内部に開閉器１００を構成する各種の部材が収納される。
端子部１２０は、ブッシング１２１と、ブッシング押さえ１２２と、端子カバー１２３と、を備えている。
【００２２】
ブッシング１２１は、内部に配線が通る筒状の絶縁管であり、筐体１１１における長手方向に沿った両側面にそれぞれ３つずつ長手方向に並べて設置されている。なお、図示しないが、ブッシング１２１の先端には、配電線が接続される主回路端子が設置され、ブッシング１２１の内部の配線が主回路端子に接続されている。
ブッシング押さえ１２２は、ブッシング１２１を筐体１１１に押さえ付ける部材である。
【００２３】
端子カバー１２３は、ブッシング１２１の先端に設置された主回路端子及び主回路端子と配電線との接続部分を覆う先細の筒状部材である。図示しないが、主回路端子に接続された配電線は、端子カバー１２３の先細部分を通って外部に引き出される。
【００２４】
このように、端子部１２０は、筐体１１１における長手方向に沿った両側面から３つずつ、水平方向側に延びている。本実施形態によれば、筐体１１１における長手方向に沿った両側面が上方に向かって互いに広がる方向に傾斜しているため、端子部１２０は、水平方向に対して若干下方を向いている。
【００２５】
筐体１１１における長手方向に沿った両側面における一方の側面から延びる３つの端子部１２０は電源側の配電線に接続され、他方の側面から延びる３つの端子部１２０は負荷側の配電線に接続される。
【００２６】
本体１１０の内部においては、電源側の端子部１２０と負荷側の端子部１２０とを繋ぐ電路と、この電路を開閉する開閉機構（図示せず）と、が備えられている。
【００２７】
操作ハンドル１３０は、本体１１０の外部に設けられ、作業員の操作によって回動させる長尺の板状部材からなる。作業員が、操作ハンドル１３０を回動させることにより、本体１１０内に収納されている電路の開閉機構（図示せず）が動作する。
【００２８】
表示矢１４０は、操作ハンドル１３０に連動し、本体１１０の表面に表示されている開閉器１００の状態を示す表示を指し示すものである。具体的に、本体１１０の表面には「切」、「入」と表示されており、本体１１０内の開閉機構が開いている場合には、表示矢１４０は「切」を差し、本体１１０内の開閉機構が閉じている場合には、表示矢１４０は「入」を差す。
【００２９】
吊り金具１５０は、固定金具１５１と、吊りボルト１５２と、固定ナット１５３、ストラップ１５４と、を備えており、開閉器１００を腕金２００（図２参照）に固定するための金具である。
【００３０】
固定金具１５１は、帯状の金属板の両端部に曲げを施してなるコ字状の固定部１５１ａと、この固定部１５１ａの中央部の２箇所に立設し、吊りボルト１５２を引っ掛けるための引っ掛け部１５１ｂとを備えている。固定部１５１ａは、筐体１１１における長手方向に対向する一方の側面の上部中央に固定され、蓋１１２の上部を通って他方の側面の上部中央に固定される。引っ掛け部１５１ｂ、１５１ｂは、蓋１１２の上面の中心に対して等距離の位置に立設されている。
【００３１】
引っ掛け部１５１ｂには、２つの孔部１５１ｃ、１５１ｃが形成されており、この２つの孔部１５１ｃ、１５１ｃの間隔は、腕金２００の太さより若干大きく設定されている。
吊りボルト１５２は、一端部にねじ山が形成され、他端部に９０度より大きい角度の曲げが施されている。この吊りボルト１５２の他端部を孔部１５１ｃに挿入することにより、吊りボルト１５２が引っ掛け部１５１ｂに引っ掛けられる。固定ナット１５３は、吊りボルト１５２は、一端部に螺合される。
【００３２】
ストラップ１５４は、孔部１５１ｃ、１５１ｃの間隔よりも長い矩形の平板状部材からなる。ストラップ１５４の一端部には、吊りボルト１５２の一端部が挿入可能な大きさの孔部が形成されており、ストラップ１５４の他端部には、短辺から長手方向に延びる吊りボルト１５２の一端部が挿入可能な幅の切欠きが形成されている。ストラップ１５４における一端部の孔部と切欠きの端部との間隔は、孔部１５１ｃ、１５１ｃの間隔に等しく設定されている。
【００３３】
そして、ストラップ１５４の一端部の孔部には、引っ掛け部１５１ｂに引っ掛けられた２本の吊りボルト１５２の一方が挿入され、切欠きには他方の吊りボルト１５２が挿入される。
【００３４】
開閉器１００を腕金２００に設置する際には、作業員が、２本の吊りボルト１５２の間に腕金２００を挿入し、腕金２００の上部にストラップ１５４を載置する。そして、２本の吊りボルト１５２に固定ナット１５３を螺合させ、引っ掛け部１５１ｂとストラップ１５４との間に腕金２００を挟み付ける。これにより、開閉器１００が腕金２００に設置される。
【００３５】
取っ手１６０は、棒状部材の両端部に曲げを施すことによってコ字状に形成された金属部材であり、筐体１１１における電源側の３つ端子部１２０及び負荷側の３つ端子部１２０の上方にそれぞれ配置されている。取っ手１６０の一端部は、筐体１１１における長手方向に対向する一方の両側面の上縁部に固定され、中央部が筐体１１１から所定の間隔を空けて３つ端子部１２０の上方を通り、取っ手１６０の他端部が筐体１１１における長手方向に対向する他方の両側面の上縁部に固定される。作業員は、取っ手１６０、１６０をつかむことにより、開閉器１００を持ち運ぶことが可能である。
【００３６】
［営巣事故防止具１の構成］
次に、本発明の一実施形態における営巣事故防止具１の構成について説明する。
営巣事故防止具１は、絶縁シート１０と、第１支柱部２０と、第２支柱部３０と、引っ掛け金具４０と、伸縮可能なロープ部材に相当するゴムロープ５０と、を備えている。
【００３７】
絶縁シート１０は、絶縁性を有する素材によって作成されたメッシュ状のシート部材である。絶縁シート１０は、矩形形状であり、縦幅が端子部１２０における筐体１１１から突出している部分の長さで、横幅が筐体１１１の長手方向の長さ程度の大きさである。また、メッシュの大きさは、少なくとも営巣材がメッシュを通って落下しない程度を大きさ、望ましくは鳥類の糞が落下しない程度を大きさであることが望ましい。
【００３８】
第１支柱部２０及び第２支柱部３０は、本体１１０に設置され、絶縁シート１０の横方向の端部を支持するものである。また、第１支柱部２０及び第２支柱部３０は、３つの端子部１２０の上方に設置され、営巣事故防止具１が設置された開閉器１００を上方から平面視した場合に第１支柱部２０と第２支柱部３０との間に３つの端子部１２０が配置される。また、第１支柱部２０及び第２支柱部３０の先端には鉤部２０ａ及び鉤部３０ａが設けられている。
【００３９】
次に、第１支柱部２０の構成の詳細について説明する。
第１支柱部２０は、本体１１０に固定される固定部２１と、固定部２１から斜め方向に柱状に延びる長尺の支持部２２と、を備えている。
【００４０】
固定部２１は、帯状部２１ａと、係合部２１ｂと、シート状のマグネット２１ｃとによって構成されている。帯状部２１ａは、一端部が蓋１１２の縁部に配置され、中央部が筐体１１１の側面を通って端子部１２０側に延び、他端部が取っ手１６０上を通って取っ手１６０を越えた位置まで延びている。係合部２１ｂは、固定部２１における取っ手１６０との対向部位に形成され、固定部２１の下面から下方に延びる一対の挟持片によって構成されている。この一対の挟持片の間に取っ手１６０が挿入されることにより、係合部２１ｂが取っ手１６０に係合し、固定部２１の端子部１２０側への移動が規制される。
【００４１】
シート状のマグネット２１ｃは、帯状部２１ａの一端部における本体１１０との対向面に固定されている。具体的に、帯状部２１ａの一端部は、蓋１１２の縁部に適合するようにＬ字形に形成されており、このＬ字部分にマグネット２１ｃが固定されている。
このため、固定部２１は、マグネット２１ｃが本体１１０に吸着し、係合部２１ｂが取っ手１６０に係合することによって、本体１１０に固定される。なお、固定部２１の他端部は、固定部２１を、一般にホットスティックと称されている間接活線工具で把持するための把持部として機能する。
【００４２】
支持部２２は、端子部１２０側に延びており、支持部２２の先端に鉤部２０ａが設けられている。ここで、営巣事故防止具１が設置された開閉器１００を上方から平面視した場合、支持部２２の先端部すなわち鉤部２０ａの先端と、端子部１２０の先端は略同じライン上に位置する。
【００４３】
支持部２２における端子部１２０に対向する面の中央部には、間接活線工具で把持するための把持片２３が形成されている。
【００４４】
また、支持部２２の内部には、図２に示すように、絶縁シート１０を収納する収納部２４が形成されている。ここで、収納部２４には、この軸体１２の両端部を回転自在に支持する軸受部１３が備えられており、更に、軸体１２を自動的に回転させて軸体１２に絶縁シート１０を巻き取らせる自動巻取装置（図示せず）が備えられている。
【００４５】
絶縁シート１０は、横方向の一端部が軸体１２に固定されており、他端部が棒状部材１４に固定されている。絶縁シート１０は軸体１２に巻き付けられた状態で第１支柱部２０に収納されている。
【００４６】
次に、第２支柱部３０の構成の詳細について説明する。第２支柱部３０は、本体１１０に固定される固定部３１と、固定部３１から斜め方向に柱状に延びる長尺の支持部３２と、を備えている。固定部３１は、第１支柱部２０の固定部２１と同一構成であるため、説明は省略する。
【００４７】
支持部３２は、支持部２２と同様に、端子部１２０側に延びており、支持部３２の先端に鉤部３０ａが設けられている。ここで、営巣事故防止具１が設置された開閉器１００を平面視した場合、支持部３２の先端部と、端子部１２０の先端部は略同じライン上に位置する。
【００４８】
支持部３２は、端子部１２０に対向する面の中央部に、間接活線工具で把持するための把持片３３を備えている。また、支持部３２には、棒状の連結部材３４が設置されている。
【００４９】
また、棒状部材１４には、図５（ａ）、（ｂ）に示すようにフック部１４ａが設けられている。更に、棒状部材１４には、間接活線工具で把持するための把持片１４ｂが形成されている。
【００５０】
棒状部材１４は、支持部２２の側方に配設されており、棒状部材１４を、図５（ｂ）に示すように、第２支柱部３０側に引っ張り出すことにより、絶縁シート１０が支持部２２の収納部２４から引き出される。また、引っ張り出した棒状部材１４を第１支柱部２０側に移動させることによって自動的に絶縁シート１０が収納部２４に収納される。
【００５１】
また、支持部２２の収納部２４から引き出された棒状部材１４のフック部１４ａが連結部材３４に係合する。連結部材３４にフック部１４ａが係合すると、自動巻取装置（図示せず）によって絶縁シート１０に張力が加わるため、連結部材３４にフック部１４ａが係合した状態で保持されるとともに、絶縁シート１０が３つの端子部１２０の上方に張設される。このように、把持片２３、３３は把持部に相当し、連結部材３４は保持部に相当する。
【００５２】
図１に示す引っ掛け金具４０は、円柱部材の下面に吊りボルト１５２の一端部に螺合するネジ溝が形成され、上面に鉤部４０ａ（図３参照）が設けられたものである。引っ掛け金具４０は、営巣事故防止具１を開閉器１００に設置する際に、吊りボルト１５２の端部に取り付けられる。
【００５３】
ゴムロープ５０は、通常状態において、第１支柱部２０の鉤部２０ａから第１支柱部２０に対向する引っ掛け金具４０の鉤部４０ａまでの長さより若干短く、両端部にリング部材５１、５１が取り付けられている。そして、リング部材５１、５１が、第１支柱部２０及び第２支柱部３０の鉤部２０ａ、３０ａに接続されることにより、ゴムロープ５０が、第１支柱部２０の鉤部と引っ掛け金具４０の鉤部との間、及び第２支柱部３０の鉤部と引っ掛け金具４０の鉤部との間に架設される。この際、ゴムロープ５０が伸びた状態になるため、ゴムロープ５０の張力により、リング部材５１、５１と鉤部とが連結した状態で維持される。
【００５４】
次に、営巣事故防止具１を開閉器１００に設置する手順について説明する。
引っ掛け金具４０は、開閉器１００への装柱の際に、吊りボルト１５２の端部に螺合しておく。次に、作業員は、間接活線工具を操作して把持片２３を把持し、固定部２１の一端部を蓋１１２の縁部に載置するとともに係合部２１ｂを取っ手１６０に係合させることにより、第１支柱部２０を、電柱に装柱されている開閉器１００の本体１１０に設置する。同様に、第２支柱部３０についても間接活線工具を操作して把持片３３を把持し、固定部３１の一端部を蓋１１２の縁部に載置するとともに係合部３１ｂを取っ手１６０に係合させることにより、第２支柱部３０を本体１１０に設置する。
【００５５】
次に、作業員は、間接活線工具を操作してリング部材５１を把持し、第１支柱部２０及び第２支柱部３０の鉤部に接続することにより、ゴムロープ５０を第１支柱部２０の鉤部と引っ掛け金具４０の鉤部との間に架設する。第２支柱部３０の鉤部と引っ掛け金具４０の鉤部との間にも同様にゴムロープ５０を架設する。
【００５６】
ここまでの作業により、図３に示すように、営巣事故防止具１が開閉器１００に設置される。そして、作業員は、間接活線工具を操作して把持片１４ｂを把持し、棒状部材１４を第２支柱部３０側に移動させて絶縁シート１０を引き出し、フック部１４ａを連結部材３４に係合させる。これにより、図１、図４に示すように、３つの端子部１２０の上部が絶縁シート１０によって覆われる。
【００５７】
絶縁シート１０上に鳥類が営巣した場合には、絶縁シート１０自体が絶縁性を有しており、しかも、営巣材を３つの端子部１２０から離した状態で長期間維持することができる。そして、鳥類が巣からいなくなった時に、営巣事故防止具１を開閉器１００から取り外すことにより、営巣材を撤去することができる。営巣材の撤去においては、２人の作業員が共同して間接活線工具を操作し、第１支柱部２０及び第２支柱部３０を同時に取り外すことにより、営巣材を撤去することができる。
【００５８】
以上説明したように構成された本実施形態によれば、絶縁シート１０上に営巣された場合に、絶縁シート１０下方の複数の端子部１２０と営巣材との間に絶縁シート１０が介在しかつ互いに離間した状態で保たれる。このため、開閉器１００の端子部１２０付近に営巣されても、その営巣材が原因となって停電が発生することを防止することが可能になり、しかも、その状態を長期間保つことが可能になる。これにより、例えば、巣に鳥類が産卵した場合には、その巣を撤去することが容易にできなくなるが、その卵が孵化し、雛が成長して巣が空になるまで、巣の撤去を待つことが可能になる。
【００５９】
また本実施形態によれば、第１支柱部２０及び第２支柱部３０は、マグネット２１ｃが本体１１０に吸着し、係合部２１ｂ、３１ｂが取っ手１６０に係合することによって、本体１１０に設置される。このため、例えば、第１支柱部２０及び第２支柱部３０の本体１１０への取り付けに、ボルトやナット等が必要なくなる。しかも、第１支柱部２０及び第２支柱部３０は、間接活線工具に把持させるための把持片２３、３３を備えているため、間接活線工具を用いて容易に第１支柱部２０及び第２支柱部３０を本体１１０に設置することが可能になる。
【００６０】
また本実施形態によれば、絶縁シート１０が軸体１２に巻き付けられた状態で第１支柱部２０に収納されており、絶縁シート１０の端部を第１支柱部２０から引き出して、第２支柱部３０の連結部材３４に係合させることにより、絶縁シート１０を容易に端子部１２０の上方に配設することが可能になる。
【００６１】
また本実施形態によれば、第１支柱部２０の先端部と、開閉器１００を腕金２００に設置するために用いる吊りボルト１５２に固定した引っ掛け金具４０との間に、ゴムロープ５０を架設したことにより、絶縁シート１０が複数の端子部１２０側に倒れることを防止することができる。
【００６２】
以上、本発明の実施形態について説明したが、本発明の実施形態は上述した実施形態に限るものではない。例えば、図１に示す開閉器１００には、営巣事故防止具１を１つ設置して、片側側面の３つの端子部１２０の上方を絶縁シート１０で覆っているが、それに限らず、営巣事故防止具１を２つ設置して、両側面の３つの端子部１２０の上方を絶縁シート１０で覆ってもよい。
また、上述した実施形態においては、吊りボルト１５２に引っ掛け金具４０を取り付け、開閉器１００において最も高い位置でゴムロープ５０の一端を架設しているが、ゴムロープ５０の一端部を支持する位置は、第１支柱部２０及び第２支柱部３０の先端部よりも高い部位であれば特に支持位置を問わない。例えば、電柱や腕金に引っ掛け金具４０を取り付けて、第１支柱部２０及び第２支柱部３０の先端部との間にゴムロープ５０を架設してもよい。
【符号の説明】
【００６３】
１  営巣事故防止具
１０  絶縁シート
１２  軸体
１４  棒状部材
１４ａ  フック部
１４ｂ  把持片
２０  第１支柱部
２０ａ  鉤部
２１  固定部
２１ａ  帯状部
２１ｂ  係合部
２１ｃ  マグネット
２２  支持部
２３  把持片
２４  収納部
３０  第２支柱部
３０ａ  鉤部
３１  固定部
３１ｂ  係合部
３２  支持部
３３  把持片
３４  連結部材
４０  金具
５０  ゴムロープ
５１  リング部材
１００  開閉器
１１０  本体
１１１  筐体
１１２  蓋
１２０  端子部
１６０  取っ手
２００  腕金
【図１】
0005960217.tif 000002
【図２】
0005960217.tif 000003
【図３】
0005960217.tif 000004
【図４】
0005960217.tif 000005
【図５】
0005960217.tif 000006